(57)【要約】  【課題】  瞬停等が生じても必要なデータ、例えば、最大値および最小値が消失することのない計測機器を提供する。  【解決手段】  電断が検知されると、必要なデータ、例えば、最大値および最小値を、不揮発性メモリなどの記憶保持に電力を必要としない記憶媒体に書き込んで保護するようにしており、しかも、最大値および最小値の書き込み前に、記憶媒体に書き込まれている最大値および最小値と比較して、書き込みの要否を判断し、不必要な書き込みを行なわないようにして不揮発性メモリなどの記憶媒体の寿命を延ばすようにしている。【選択図】        図６
2005140661.tif 000002
【特許請求の範囲】
【請求項１】
入力を計測する計測機器であって、
電源の供給が断たれたことを検知する電断検知回路と、データの記憶保持に電力が不要な記憶媒体と、前記電断検知回路の検知出力に応答して、所要のデータを前記記憶媒体へ書き込んで該所要のデータを保護する保護回路とを備え、
前記保護回路は、前記所要のデータの前記記憶媒体への書き込み前に、該所要のデータと前記記憶媒体に既に書き込まれている所要のデータとを比較して該記憶媒体への書き込みの要否を決定することを特徴とする計測機器。
【請求項２】
前記記憶媒体が不揮発性メモリであり、
前記所要のデータが、計測データの内の最大値および最小値の少なくともいずれか一方のデータである請求項１記載の計測機器。
【請求項３】
前記所要のデータを保護する保護モードと、前記保護を行わない非保護モードとを選択設定する設定手段を備える請求項１または２記載の計測機器。
【請求項４】
複数のコネクタを有するベース基板と、前記コネクタに着脱自在に装着される複数の装着用基板とを備え、
前記ベース基板は、複数の前記コネクタに接続されたバス配線を有し、前記装着用基板は、機能に応じた専用回路を有するとともに、前記コネクタに装着されることによって前記専用回路が前記バス配線に接続されるものであり、
前記ベース基板または前記装着用基板のいずれかに実装されるとともに、前記バス配線に接続される制御回路を備え、
前記制御回路は、前記ベース基板の前記コネクタに装着されている装着用基板を識別して複数の機種の内の所要の機種として動作するように制御する請求項１〜３のいずれかに記載の計測機器。
【請求項５】
前記専用回路として、入力回路、電源回路および出力回路をそれぞれ有する入力用、電源用および出力用の各装着用基板を含み、
前記電源用の装着用基板には、前記電断検知回路が実装され、
前記入力用の装着用基板には、前記保護回路および前記記憶媒体が実装される請求項４記載の計測機器。
【請求項６】
電源の供給が断たれたときに、一定期間に亘って電源をバックアップする電源バックアップ手段を備え、
前記保護回路は、前記電断検知回路の検知出力に応答して、少なくとも前記出力用の装着用基板の出力回路の動作を停止させる請求項５記載の計測機器。
【発明の詳細な説明】
【技術分野】
【０００１】
本発明は、温度、電圧、電流などの各種の入力を計測する計測機器に関する。
【背景技術】
【０００２】
この種の計測機器として、デジタルパネルメータが知られている（例えば、特許文献１参照）。
【特許文献１】特開２００２−１１６０６３号公報
【発明の開示】
【発明が解決しようとする課題】
【０００３】
かかるデジタルパネルメータには、電源を投入して計測を開始してから現在までの計測期間における最大値および最小値を更新記憶しておき、ユーザの操作に応じて、最大値または最小値を表示して確認できるようにしたものがある。
【０００４】
しかしながら、従来のデジタルパネルメータでは、計測された最大値および最小値は、揮発性のＲＡＭに格納されているために、何等かの要因で瞬停や停電が生じると、それまでの計測期間における最大値および最小値のデータが消失してしまうという難点がある。
【０００５】
したがって、瞬停等の影響を受けることなく、最大値や最小値といった所要のデータを保持したいと思うユーザは、別の外部機器に最大値や最小値のデータを出力して保持しておくといった必要があった。
【０００６】
本発明は、上述の点に鑑みて為されたものであって、瞬停等が生じても必要なデータが消失することなく、保持できるようにした計測機器を提供することを目的とする。
【課題を解決するための手段】
【０００７】
本発明では、上記目的を達成するために、次のように構成している。
【０００８】
すなわち、本発明は、入力を計測する計測機器であって、電源の供給が断たれたことを検知する電断検知回路と、データの記憶保持に電力が不要な記憶媒体と、前記電断検知回路の検知出力に応答して、所要のデータを前記記憶媒体へ書き込んで該所要のデータを保護する保護回路とを備え、前記保護回路は、前記所要のデータの前記記憶媒体への書き込み前に、該所要のデータと前記記憶媒体に既に書き込まれている所要のデータとを比較して該記憶媒体への書き込みの要否を決定するものである。
【０００９】
ここで、所要のデータとは、瞬停や停電などの電断による消失から保護すべきデータであり、例えば、当該計測機器の動作状態を規定する各種のパラメータや計測データの内の保護すべきデータである。
【００１０】
データの記憶保持に電力が不要な記憶媒体とは、不揮発性メモリやメモリカードなどをいう。
【００１１】
また、書き込みの要否を決定するとは、記憶媒体に所要のデータを書き込む必要があるか否かを決定することをいい、例えば、所要のデータがパラメータであって、記憶媒体に書き込もうとするパラメータと既に書き込まれているパラメータとが同一であるときには、書き込み不要と決定し、あるいは、所要のデータが最大値であって、記憶媒体に書き込もうとする最大値が既に書き込まれている最大値以下であるときには、書き込み不要とするというように、書き込みの必要性の有無を決定するものであり、意味のない書き込みを行なわないようにするものである。
【００１２】
また、計測機器とは、少なくとも入力を計測する機器であればよく、入力を計測してそれに基づいて制御を行なう機能を有する計測機器も含むものである。
【００１３】
本発明によると、電断時には、所要のデータを、データの記憶保持に電力が不要な記憶媒体に書き込んで保護することができるので、従来のように、電断によって必要なデータ、例えば、計測データの内の最大値や最小値が消失してしまうことがない。しかも、保護回路は、所要のデータを記憶媒体に書き込む前に、既に記憶媒体に書き込まれている所要のデータと比較して書き込みの要否を決定するので、記憶媒体への不必要な書き込みが回避されることになる。
【００１４】
本発明の一実施態様においては、前記記憶媒体が不揮発性メモリであり、前記所要のデータが、計測データの内の最大値および最小値の少なくともいずれか一方のデータである。
【００１５】
この実施態様によると、電断が生じたときには、計測データの内の最大値や最小値といった所要のデータを不揮発性メモリに書き込んで保護することが可能となり、また、不揮発性メモリへの不必要な書き込みが回避されるので、不揮発性メモリの寿命を延ばすことができる。
【００１６】
本発明の他の実施態様においては、前記所要のデータを保護する保護モードと、前記保護を行わない非保護モードとを選択設定する設定手段を備えている。
【００１７】
この実施態様によると、ユーザは、所要のデータを電断から保護する保護モードまたは保護しない非保護モードを、必要に応じて選択して設定できることになる。
【００１８】
本発明の更に他の実施態様においては、複数のコネクタを有するベース基板と、前記コネクタに着脱自在に装着される複数の装着用基板とを備え、前記ベース基板は、複数の前記コネクタに接続されたバス配線を有し、前記装着用基板は、機能に応じた専用回路を有するとともに、前記コネクタに装着されることによって前記専用回路が前記バス配線に接続されるものであり、前記ベース基板または前記装着用基板のいずれかに実装されるとともに、前記バス配線に接続される制御回路を備え、前記制御回路は、前記ベース基板の前記コネクタに装着されている装着用基板を識別して複数の機種の内の所要の機種として動作するように制御するものである。
【００１９】
ここで、機能とは、例えば、入力、出力、電源、通信といった機能のみならず、アナログ入力、デジタル入力、さらには、リレー出力、トランジスタ出力といった出力形式や入出力点数などの機能をいうものであり、専用回路とは、かかる機能に応じた専用の回路をいい、例えば、入力回路、出力回路、電源回路などの回路をいう。
【００２０】
また、機種とは、機器の種類をいい、例えば、温度調節器やデジタルパネルメータといった機器そのものの種類を含むのみならず、同じ種類の機器、例えば、デジタルパネルメータにおいて、その上位機種や下位機種といった機能の種類、さらに、例えば、入出力点数や出力形式などの種類、その他の種類を含む。
【００２１】
この実施態様によると、バス配線を有するベース基板のコネクタに、機能に応じた専用回路を有する装着用基板を装着することによって、専用回路とバス配線とがバス接続され、ベース基板または装着用基板のいずれかに実装された制御回路は、前記バス配線を介して装着用基板を識別し、所要の機種として動作させるので、所要の機種に応じた機能の装着用基板を選択してベース基板に装着することによって、所要の機種を構成できることになる。したがって、同一の機能を有する機種間、例えば、同一のリレー出力機能を有する機種間においては、その機能に応じた装着用基板、例えば、リレー出力用の装着用基板を共用できることになる。
【００２２】
本発明の一実施態様においては、前記専用回路として、入力回路、電源回路および出力回路をそれぞれ有する入力用、電源用および出力用の各装着用基板を含み、前記電源用の装着用基板には、前記電断検知回路が実装され、前記入力用の装着用基板には、前記保護回路および前記記憶媒体が実装されるものである。
【００２３】
この実施態様によると、電源用の装着用基板に実装された電断検知回路で電断が検知されると、バス配線を介して入力用の装着用基板に実装された保護回路に検知出力が与えられ、保護回路は、記憶媒体に所要のデータを書き込んで保護することが可能となる。
【００２４】
本発明の好ましい実施態様においては、電源の供給が断たれたときに、一定期間に亘って電源をバックアップする電源バックアップ手段を備え、前記保護回路は、前記電断検知回路の検知出力に応答して、少なくとも前記出力用の装着用基板の出力回路の動作を停止させるものである。
【００２５】
この実施態様によると、電断が検知されると、少なくも出力用の装着用基板の出力回路の動作を停止させるので、電力消費が比較的大きな出力回路での電力消費がなくなり、電源バックアップ手段による電源のバックアップ期間を十分に確保し、このバックアップ期間を利用して記憶媒体への所要のデータの書き込みが行なえる。
【発明の効果】
【００２６】
以上のように本発明によれば、瞬停や停電などの電断によって、所要のデータ、例えば、最大値や最小値といったデータが消失するのを回避することができ、しかも、不揮発性メモリなどの記憶媒体への不必要なデータの書き込みを回避することができる。
【発明を実施するための最良の形態】
【００２７】
以下、図面によって本発明の実施の形態について詳細に説明する。
【００２８】
図１は、本発明の一つの実施の形態に係る計測機器としてのデジタルパネルメータの正面図である。
【００２９】
このデジタルパネルメータ１は、その正面に、現在値等を表示する現在値表示部２、設定値等を表示する設定値表示部３、任意のスケールに対する現在値の位置を表示するポジションメータ部４等の各表示部を備えるとともに、下部には、表示値を切換えるＭＡＸ／ＭＩＮキー５、レベルを切換えるためのレベルキー６、表示するパラメータを切換えるためのモードキー７等の各種操作キーを備えている。
【００３０】
この実施の形態のデジタルパネルメータ１は、従来例と同様に、電源投入時から現在までの計測値の最大値（ＭＡＸ値）および最小値（ＭＩＮ値）を記憶して表示することができるものであり、ＭＡＸ／ＭＩＮキー５を操作することによって、現在値表示部２に、現在値、最大値または最小値を切換えて表示することができる。
【００３１】
図２は、このデジタルパネルメータの分解斜視図であり、図３は、全体構成を示すブロック図である。
【００３２】
この実施の形態のデジタルパネルメータは、本件出願人が、平成１４年５月２０日に特願２００２−１４４４９０号として出願している「電子機器および電子機器の使用方法」において提案している構成を有している。
【００３３】
すなわち、この実施の形態のデジタルパネルメータ１は、入力用、出力用、電源用、あるいは、アナログ入力、デジタル入力、リレー出力、トランジスタ出力といった入出力形式や入出力点数などの仕様や機能が異なる多種の基板を準備し、必要な基板を選択して共通のケースに収納して所要の機種を構成するものである。
【００３４】
これによって、機種毎に個別に設計され、機種毎に搭載される回路基板の種類や数が異なっていた従来例に比べて、機能の異なる機種間での回路基板の共用化、例えば、同一のリレー出力機能を有する機種間では、同一のリレー出力用基板の共用化が可能となり、設計、製造および管理におけるコストの削減を図ることができるものである。
【００３５】
このデジタルパネルメータ１は、フロントケース８とリアケース９とからなるケース１０を備えており、フロントケース８には、上述の現在値表示部２等の表示部およびＭＡＸ／ＭＩＮキー５等の操作キーが設けられる。
【００３６】
このデジタルパネルメータ１は、ケース１０内に複数のモジュール基板１１〜１４を収納して構成されており、この実施の形態では、ベース基板としてのフロントモジュール基板１１を備えるとともに、このフロントモジュール基板１１に装着される複数の装着用基板として、入力モジュール基板１２、電源モジュール基板１３、および、出力／通信モジュール基板１４を備えている。
【００３７】
各モジュール基板１２〜１４には、端子台１５が装備され、これら端子台１５を覆うように端子カバー１６が取り付けられる。
【００３８】
ベース基板としてのフロントモジュール基板１１は、上述のフロントケース８側に収納され、現在値表示部２などにおける表示を行なうために、図３に示されるように、液晶セル(ＬＣＤ)１７、ＬＣＤドライバ１８、バックライトＬＥＤ１９および表示用のサブＣＰＵ２０を備えるとともに、上述のＭＡＸ／ＭＩＭキー５等の各種操作キーに対応するキースイッチ２１およびデコーダ２２を備えている。
【００３９】
さらに、フロントモジュール基板１１は、入力モジュール基板１２、電源モジュール基板１３、および、出力／通信モジュール基板１４を、互いにバス接続するためのバス配線を備えている。
【００４０】
入力モジュール基板１２は、デジタルパネルメータ１の各機種としての動作を制御する制御回路としてのメインＣＰＵ２３、図示しないセンサからの入力が与えられる入力回路２４および後述のように所要のデータとしての最大値および最小値が格納される記憶媒体としての不揮発性メモリであるＥ２ＰＲＯＭ２５を有している。この入力モジュール基板１２は、ベース基板としてのフロントモジュール基板１１にコネクタを介して着脱自在に装着される。
【００４１】
この入力モジュール基板１２のメインＣＰＵ２３は、例えば、出力形式などの仕様の異なる各機種としての動作を制御できるものであり、このメインＣＰＵ２３は、フロントモジュール基板１１に装着される各モジュール基板の種類を後述のようにして識別し、それらに対応する機種として動作させるものである。
【００４２】
さらに、この入力モジュール基板１２のメインＣＰＵ２３は、保護回路としての機能を有しており、瞬停や停電などの電断時には、電源モジュール基板１３の電断検知信号に応答して、所要のデータとしての最大値および最小値のデータをＥ２ＰＲＯＭ２５に格納して保護するものである。
【００４３】
電源モジュール基板１３は、電源回路２６を備え、電源を各部に供給するものであって、ベース基板としてのフロントモジュール基板１１にコネクタを介して着脱自在に装着されるものであり、電圧仕様などに応じて、複数の電源モジュール基板から必要な電源モジュール基板が選択されてフロントモジュール基板１１に装着される。
【００４４】
この電源モジュール基板１３の電源回路２６には、瞬停や停電などによって電源の供給が断たれたときに、それを検知する電断検知回路３８が設けられている。この実施の形態の電断検知回路３８は、例えば、図４に示されるように、抵抗Ｒ１〜Ｒ４、ツェナーダイオードＺＤおよびトランジスタＴＲを備えており、電源電圧の低下を検出して電断検知信号を出力する。また、電源回路２６には、電源の供給が断たれた後一定時間、例えば、数十ｍｓｅｃ程度、電源をバックアップするバックアップコンデンサが備えられている。
【００４５】
出力／通信モジュール基板１４は、シリアル／パラレル変換回路２７、出力回路２８および通信回路２９を有している。
【００４６】
この出力／通信モジュール基板１４は、フロントモジュール基板１１にコネクタを介して着脱自在に装着されるものであり、リレー出力、電流出力、トランジスタオープンコレクタ出力、ＢＣＤ出力などの各種出力あるいはＲＳ−４８５やＲＳ−２３２Ｃなどの通信出力を出力する複数の出力／通信モジュール基板の内から必要な出力／通信モジュール基板１４が選択されてフロントモジュール基板１１に装着される。
【００４７】
ベース基板としてのフロントモジュール基板１１は、フロントケース８に対応するサイズとなっており、このフロントモジュール基板１１は、入力モジュール基板１２、電源モジュール基板１３および出力／通信モジュール基板１４を着脱自在に装着するための接続部としての複数のコネクタを有している。
【００４８】
フロントモジュール基板１１は、上述のように、各モジュール基板を接続するバス配線を有しており、この実施の形態では、次のようなバス構成となっている。
【００４９】
すなわち、図３に示されるように、フロントモジュール基板１１は、入力モジュール基板１２のメインＣＰＵ２３とフロントモジュール基板１１の表示用サブＣＰＵ２０とのデータ通信を行なうためのシリアルバス（ＵＡＲＴ）である表示サブＣＰＵ用バス３０と、各モジュール基板にアクセスする場合のモジュールセレクト信号を生成するためのアドレス信号用のモジュールアドレスバス４０と、各モジュールにアクセスする場合のセレクト信号用のモジュールセレクトバス３１と、各モジュール基板の機能などの種類を識別するための（ＴＹＰＥ）タイプバス３２と、外部通信用のＵＡＲＴバス３３と、各モジュール基板とのデータ交信用の同期シリアルバス３４と、電源ライン３５とを備えている。同期シリアルバス３４は、複数で構成されるとともに、電源ライン３５は、複数の異なる電源ラインで構成される。
【００５０】
なお、図２および図３は、モジュール基板の構成の一例を示しており、入出力点数や出力形式などの仕様に応じて、ベース基板としてのフロントモジュール基板１１に装着される各モジュール基板の数や種類は、適宜選択されることになる。また、出力／通信モジュール基板１４は、出力モジュール基板と通信モジュール基板とに分離してもよい。
【００５１】
以上のようにしてフロントモジュール基板１１に、入力モジュール基板１２、電源モジュール基板１３、出力／通信モジュール基板１４が装着されて構成されるデジタルパネルメータ１においては、入力モジュール基板１２のメインＣＰＵ２３は、電源が投入されると、後述のように、フロントモジュール基板１１の各コネクタに装着されているモジュール基板の種類、例えば、電源モジュール基板１３および出力／通信モジュール基板１４として装着されているモジュール基板がどのような機能のモジュール基板であるかを、順番に読み込んでその種類を識別し、出力形式や入出力点数などがどのような仕様の機種であるかを認識してその機種を確定し、その機種に合った制御動作を行なうものである。
【００５２】
また、この実施の形態のデジタルパネルメータ１は、上述のように、電源投入時から現在までの計測値の最大値および最小値を記憶して表示することができるものであるが、さらに、瞬停や停電などによって、電源の供給が断たれた場合にも、ユーザが希望する場合には、最大値および最小値が消失しないように次のように構成している。
【００５３】
すなわち、この実施の形態では、電断が生じても最大値および最小値を保存する保護モードとしての電断書き込みモードを、操作キーの操作によって設定できるように構成されている。
【００５４】
この電断書き込みモードが設定されたときには、入力モジュール基板１２のメインＣＰＵ２３は、電源モジュール基板１３の電断検知回路３８から電断検知信号に応答して最大値および最小値を、Ｅ２ＰＲＯＭ２５に書き込んで保護するようにしている。
【００５５】
図５は、電源が投入された後の計測処理のフローチャートである。
【００５６】
先ず、電源が投入されると、上述のように、入力モジュール基板１２のメインＣＰＵ２３は、ベース基板としてのフロントモジュール基板１１の各コネクタに装着されているモジュール基板の種類を、順番に読み込んで識別する（ステップｎ１）。このモジュール基板の種類の識別は、上述のモジュールセレクトバス３１およびタイプバス３２を用いて後述のようにして行なわれる。なお、フロントモジュール基板１１については、表示サブＣＰＵ２０とのシリアル通信によって種類を確定する。
【００５７】
これによって、メインＣＰＵ２３は、入出力形式や入出力点数などがどのような仕様の機種であるかを認識できることになり、その機種を確定してステップｎ３に移行して機種に対応した計測処理を開始する（ステップｎ２）。
【００５８】
ステップｎ３では、内部変数を初期化するとともに、Ｅ２ＰＲＯＭ２５に書き込まれているデータを読出し、計測を開始して計測値を取得し（ステップｎ４）、電断書き込みモードが設定されているか否かを判断し（ステップｎ５）、電断書き込みモードが設定されていないときには、取得した計測値をＭＡＸ値（最大値）とするとともに、ＭＩＮ値（最小値）としてステップｎ８に移る（ステップｎ６）。
【００５９】
ステップｎ５において、電断書き込みモードが設定されているときには、Ｅ２ＰＲＯＭ２５に既に書き込まれている登録ＭＡＸ値をＭＡＸ値とするとともに、Ｅ２ＰＲＯＭ２５に既に書き込まれている登録ＭＩＮ値をＭＩＮ値としてステップｎ８に移る（ステップｎ７）。
【００６０】
ステップｎ８では、計測値を取得し、計測値が、ＭＡＸ値よりも大きいか否かを判断し（ステップｎ９）、大きくないときには、ステップｎ１１に移り、大きいときには、取得した計測値を、新たなＭＡＸ値としてステップｎ１１に移る（ステップｎ１０）。
【００６１】
ステップｎ１１では、取得した計測値がＭＩＮ値よりも小さいか否かを判断し、小さくないときには、ステップｎ１３に移り、小さいときには、取得した計測値を、新たなＭＩＮ値としてステップｎ１３に移り、他の計測処理を行なってステップｎ８に戻る（ステップｎ１２）。
【００６２】
このように電源が投入されると、電断書き込みモードが設定されているか否かに応じて、Ｅ２ＰＲＯＭ２５に既に書き込まれている最大値および最小値、あるいは、取得した計測値を、最大値および最小値として入力モジュール基板１２の図示しないＲＡＭに更新記憶する。
【００６３】
図６は、この計測処理中において、瞬停や停電など電断が生じた場合の動作説明に供するフローチャートである。
【００６４】
先ず、電断が検知されると、電断書き込みモードが設定されているか否かを判断し（ステップｎ２０）、設定されているときには、Ｅ２ＰＲＯＭ書き込みフラグをオフし（ステップｎ２１）、Ｅ２ＰＲＯＭ２５に登録されているＭＡＸ値が、ＲＡＭに格納されている現在のＭＡＸ値より小さいか否かを判断し（ステップｎ２２）、小さくないときには、ステップｎ２４に移り、小さいときには、現在のＭＡＸ値の方が、Ｅ２ＰＲＯＭ２５に登録されているＭＡＸ値よりも大きいので、Ｅ２ＰＲＯＭ２５に書き込むべき登録ＭＡＸ値であるとしてＥ２ＰＲＯＭ書き込みフラグをオンしてステップｎ２４に移る（ステップｎ２３）。
【００６５】
ステップｎ２４では、Ｅ２ＰＲＯＭ２５に登録されているＭＩＮ値が、ＲＡＭに格納されている現在のＭＩＮ値より大きいか否かを判断し、大きくないときには、ステップｎ２６に移り、大きいときには、現在のＭＩＮ値の方が、Ｅ２ＰＲＯＭ２５に登録されているＭＩＮ値よりも小さいので、Ｅ２ＰＲＯＭ２５に書き込むべき登録ＭＩＮ値であるとしてＥ２ＰＲＯＭ書き込みフラグをオンしてステップｎ２６に移る（ステップｎ２５）。
【００６６】
ステップｎ２６では、Ｅ２ＰＲＯＭ書き込みフラグがオンしているか否かを判断し、オンしていないときには、ステップｎ２８に移り、オンしているときには、オンしているＥ２ＰＲＯＭ書き込みフラグに対応するＭＡＸ値あるいはＭＩＮ値を、Ｅ２ＰＲＯＭ２５に書き込んで登録し（ステップｎ２７）、ステップｎ２８に移る。
【００６７】
ステップｎ２８では、他の電断処理を行ないリセット待機状態となる（ステップｎ２９）。
【００６８】
以上のようにして、電断書き込みモードが設定されている状態で、瞬停等の電断が生じた場合には、ＲＡＭに格納されている現在のＭＡＸ値およびＭＩＮ値を、Ｅ２ＰＲＯＭ２５に既に書き込まれている登録ＭＡＸ値および登録ＭＩＮ値と比較し、現在のＭＡＸ値が登録ＭＡＸ値より大きいとき、あるいは、現在のＭＩＮ値が登録ＭＩＮ値より小さいときに、Ｅ２ＰＲＯＭ２５への書き込みを行なうので、不必要な書き込みが回避されてＥ２ＰＲＯＭ２５の寿命を延ばすことができるとともに、ＭＡＸ値およびＭＩＮ値が、電断によって消失することがない。
【００６９】
次に、ベース基板としてのフロントモジュール基板１１に対する他のモジュール基板の装着の有無の判別および装着されている各モジュール基板の識別について、図７および図８に基づいて説明する。
【００７０】
先ず、入力モジュール基板１２のメインＣＰＵ２３は、図７に示されるように、フロントモジュール基板１１の複数（この例では１１個）のコネクタを順番に選択するための選択信号として４ビットのモジュールアドレス信号ＭＡ０〜ＭＡ３を、フロントモジュール基板１１の図３に示されるデコーダ２２に出力し、デコーダ２２は、そのモジュールアドレス信号をデコードして、複数のコネクタに対応するいずれかのモジュール基板を指定する反転ＭＳ信号を出力し、これを反転したＭＳ信号によって、図８に示されるように、対応するモジュール基板のトランジスタ３６がオンする。各モジュール基板は、トランジスタ３６がオンすることによって導通する複数のダイオード３７を有しており、このダイオード３７の数が、モジュール基板の種類、すなわち、機能に対応している。
【００７１】
したがって、指定されたコネクタに装着されているモジュール基板のダイオード３７の数に対応した識別信号としてのタイプ信号ＴＹＰＥ０〜ＴＹＰＥ６が、タイプバス３２を介してメインＣＰＵ２３に与えられ、これによって、メインＣＰＵ２３は、指定したコネクタに対するモジュール基板の装着の有無を判別できるとともに、装着されているモジュール基板の種類を識別できることになる。
【００７２】
以上のようにして、入力、電源および出力／通信等の各モジュール基板の種類を識別して対応する機種として動作させることができるので、同一の機能を有する機種間、例えば、同一のリレー出力機能を有する機種間では、同一のリレー出力用モジュール基板を共用することができ、これによって、各機種毎に個別に設計する場合に比べて、設計費用の削減、組み立て性の簡易化、さらに、同一の基板の量産数量の増大などによってコストの低減を図ることができる。
【００７３】
（その他の実施の形態）
本発明の他の実施の形態として、電断が検知されたときには、例えば、出力モジュール基板の出力回路等の動作を停止させて電力消費を抑制するようにしてもよい。
【００７４】
本発明は、デジタルパネルメータに限らず、入力を計測する機器、例えば、温度を計測してそれに基づいて制御を行なう温度調節器などにも好適に適用することができる。
【００７５】
上述の実施の形態では、電断時には、最大値および最小値を不揮発性メモリに書き込んだけれども、最大値および最小値に限らず、パラメータなどを書き込むようにしてもよい。
【００７６】
上述の実施の形態では、不揮発性メモリとして、Ｅ２ＰＲＯＭを用いたけれども、本発明は、Ｅ２ＰＲＯＭに限らず、フラッシュメモリなどであってもよく、また、不揮発性メモリに限らず、メモリカードなどを用いてもよい。
【産業上の利用可能性】
【００７７】
本発明は、各種の入力を計測する計測機器として有用である。
【図面の簡単な説明】
【００７８】
【図１】本発明の一つの実施の形態に係るデジタルパネルメータの正面図である。
【図２】図１のデジタルパネルメータの分解斜視図である。
【図３】図１のデジタルパネルメータの回路構成を示すブロック図である。
【図４】図３の電断検知回路の構成図である。
【図５】計測処理の動作説明に供するフローチャートである。
【図６】電断時の動作説明に供するフローチャートである。
【図７】モジュール基板の識別のためのモジュールセレクト信号の生成を示す図である。
【図８】モジュール基板の識別のためのタイプ信号の生成を示す図である。
【符号の説明】
【００７９】
１  デジタルパネルメータ        ２  現在値表示部
５  ＭＡＸ／ＭＩＮキー          １１  フロントモジュール基板
１２  入力モジュール基板        １３  電源モジュール基板
１４  出力／通信モジュール基板  ２３  メインＣＰＵ
２５  Ｅ２ＰＲＯＭ
【図１】
2005140661.tif 000003
【図２】
2005140661.tif 000004
【図３】
2005140661.tif 000005
【図４】
2005140661.tif 000006
【図５】
2005140661.tif 000007
【図６】
2005140661.tif 000008
【図７】
2005140661.tif 000009
【図８】
2005140661.tif 000010